(57)【要約】【課題】１つの軸内に電子ペンリフィルを含む複数のリフィルを収容する場合において、断面が真円形状となる軸を備える場合に比べて、細軸の位置指示器を提供する。【解決手段】軸方向に対して直交する直交方向の断面が非真円形状の軸部を備え、前記軸部の先端部には、電子ペン機能が搭載された電子ペンリフィルである第１リフィルを挿入可能な前記軸方向に沿った第１孔と、電子ペン機能が搭載された電子ペンリフィル又は筆記用リフィルである第２リフィルを挿入可能な前記軸方向に沿った第２孔と、が前記直交方向に並んで形成され、前記第１孔に前記第１リフィルが挿入され、前記第２孔に前記第２リフィルが挿入された状態では、前記第１リフィル及び前記第２リフィルの先端が同一方向を向いている。【選択図】図１
2020067797.tif 000002
【特許請求の範囲】
【請求項１】
軸方向に対して直交する直交方向の断面が非真円形状の軸部を備え、
前記軸部の先端部には、電子ペン機能が搭載された電子ペンリフィルである第１リフィルを挿入可能な前記軸方向に沿った第１孔と、電子ペン機能が搭載された電子ペンリフィル又は筆記用リフィルである第２リフィルを挿入可能な前記軸方向に沿った第２孔と、が前記直交方向に並んで形成され、
前記第１孔に前記第１リフィルが挿入され、前記第２孔に前記第２リフィルが挿入された状態では、前記第１リフィル及び前記第２リフィルの先端が同一方向を向いている位置指示器。
【請求項２】
前記軸部には、対応する前記第１孔又は前記第２孔の少なくとも一方から前記第１リフィル又は前記第２リフィルの先端部の少なくとも一方を出没可能とする移動機構が設けられている請求項１に記載の位置指示器。
【請求項３】
前記軸部の後端側には、電子ペン機能を有する入力部が設けられている請求項１又は２に記載の位置指示器。
【発明の詳細な説明】
【技術分野】
【０００１】
本発明は、位置指示器に関する。
【背景技術】
【０００２】
近年、画面上への物理的な接触により入力を行う、デジタイザ等のポインティングデバイスが広く用いられている。すなわち、ペン型に形成された位置指示器で、位置検出装置が設けられた板状の入力装置の入力面に接触して接触位置を検出するものである。
【０００３】
このようなデジタイザには様々な方式があるが、その中に、電磁誘導方式がある。これは、位置指示器の中に、入力装置の入力面の下に設置されている位置検出装置が発生する特定の周波数の電磁波に対して共振する電磁誘導コイルが設けられていて、この共振が生じた位置を入力位置として認識するものである。
このような電磁誘導方式を用いた位置指示器としては、下記特許文献１に記載されたものがある。
【先行技術文献】
【特許文献】
【０００４】
【特許文献１】ＷＯ  ２０１６／１２１４７８
【発明の概要】
【発明が解決しようとする課題】
【０００５】
上記特許文献１には、軸筒内に、ボールペンリフィルと電子ペン機能が搭載された電子ペンリフィルとが収容され、ノック操作により、軸筒の先端から何れか１つのリフィルが出没可能な技術が開示されている。ここで、電子ペンリフィルは、電子ペン機能を実現するためのコイルやコンデンサ等の部品を含んで構成されるため、電子部品の破損を避けるため湾曲可能とすることはできない。そのため、ノック操作によりリフィルが湾曲して出没する軸構造とすることは困難である。さらに電子リフィルはボールペンリフィルに比べて、軸径が太くなりがちなため、軸筒内に、電子ペンリフィルを含んだ複数のリフィルを収容する場合には、軸径が太くなってしまうという問題点を有している。
【０００６】
そこで、本発明は、１つの軸内に電子ペンリフィルを含む複数のリフィルを収容する場合において、断面が真円形状となる軸を備える場合に比べて、細軸の位置指示器を提供することを目的とする。
【課題を解決するための手段】
【０００７】
上記課題を解決するために、本発明の実施態様は、以下のような構成を備える。
（１）第１の実施態様
本発明の第１の実施態様における位置指示器は、軸方向に対して直交する直交方向の断面が非真円形状の軸部を備え、前記軸部の先端部には、電子ペン機能が搭載された電子ペンリフィルである第１リフィルを挿入可能な前記軸方向に沿った第１孔と、電子ペン機能が搭載された電子ペンリフィル又は筆記用リフィルである第２リフィルを挿入可能な前記軸方向に沿った第２孔と、が前記直交方向に並んで形成され、前記第１孔に前記第１リフィルが挿入され、前記第２孔に前記第２リフィルが挿入された状態では、前記第１リフィル及び前記第２リフィルの先端が同一方向を向いている。
【０００８】
（２）第２の実施態様
本発明の第２の実施態様における位置指示器は、第１の実施態様に加え、前記軸部には、対応する前記第１孔又は前記第２孔の少なくとも一方から前記第１リフィル又は前記第２リフィルの先端部の少なくとも一方を出没可能とする移動機構が設けられている。
【０００９】
（３）第３の実施態様
本発明の第３の実施態様における位置指示器は、第１又は第２の実施態様に加え、前記軸部の後端側には、電子ペン機能を有する入力部が設けられている。
【発明の効果】
【００１０】
本発明によれば、１つの軸内に電子ペンリフィルを含む複数のリフィルを収容する場合において、断面が真円形状となる軸を備える場合に比べて、細軸の位置指示器を提供することができる。
【図面の簡単な説明】
【００１１】
【図１】第１の実施形態に係る位置指示器を示す斜視図（Ａ）及び正面断面図（Ｂ）である。
【図２】第２の実施形態に係る位置指示器を示す正面図である。
【図３】第２の実施形態に係る位置指示器の突出状態を示す側面図（Ａ）及び図２に示すI−I断面図（Ｂ）である。
【図４】第２の実施形態に係る位置指示器の没入状態を示す側面図（Ａ）及び側面断面図（Ｂ）である。
【図５】第２の実施形態に係る移動部材を示す斜視図（Ａ）及び平面図（Ｂ）である。
【図６】図４（Ａ）に示すII−II断面図（Ａ）及び図３（Ａ）に示すIII−III断面図（Ｂ）である。
【図７】本実施の形態に係る位置指示器の他の例を示す正面図である。
【発明を実施するための形態】
【００１２】
本実施の形態を図面を参照しつつ説明する。なお、以下の説明における「先端側」とは、位置指示器５の軸方向のうち、後述する第１リフィル３０による入力側又は第２リフィル４０による筆記側をいい、「後端側」とは、「先端側」の反対側をいう。
【００１３】
（第１の実施形態）
図１（Ａ）は、第１の実施形態に係る位置指示器５の斜視図であり、図１（Ｂ）は、第１の実施形態に係る位置指示器５の正面断面図である。
図１（Ａ）に示すように、位置指示器５は、外部構造として、軸部１０と、軸部１０に対して着脱可能であり、軸部１０の先端部を被覆するキャップ部材１６と、軸部１０の後端に装着される尾栓２０と、を備えている。
【００１４】
軸部１０は、軸方向に対して直交する直交方向の断面が非真円形状に形成されており、第１の実施形態では、断面が長円形状に形成されている。
図１（Ｂ）に示すように、軸部１０には、その先端と後端とを貫通する２つの孔が軸方向に沿って形成されている。具体的には、軸部１０には、電子ペン機能が搭載された電子ペンリフィルである第１リフィル３０を挿入可能な第１孔１２と、筆記用リフィルとしての磁性を有する金属製の筆記部を備えたボールペンリフィルである第２リフィル４０を挿入可能な第２孔１４とが直交方向に並んで形成されている。なお、第１リフィル３０の詳細については後述する。
【００１５】
また、尾栓２０は、軸部１０と同様の断面形状で形成され、軸部１０の後端から露出する露出部２８と、露出部２８の先端から軸方向に沿って延び、第１リフィル３０及び第２リフィル４０と各々接触する２つの接触部２２と、を備えている。なお、以下では、２つの接触部２２のうち、第１孔１２に挿入されて第１リフィル３０と接触する側を「第１接触部２４」と称し、第２孔１４に挿入されて第２リフィル４０と接触する側を「第２接触部２６」と称する。
【００１６】
そして、第１孔１２の先端側からは第１リフィル３０が挿入され、第１孔１２の後端側からは第１接触部２４が挿入される。その後、第１リフィル３０の後端と第１接触部２４の先端とが接触することで、第１リフィル３０が軸部１０内に支持される。このとき、軸部１０の先端からは、第１リフィル３０の先端部が露出している。なお、第１孔１２の径は、第１リフィル３０及び第１接触部２４の外径よりやや大きくなるよう形成されている。
【００１７】
さらに、第２孔１４の先端側からは第２リフィル４０が挿入され、第２孔１４の後端側からは第２接触部２６が挿入される。その後、第２リフィル４０の後端と第２接触部２６の先端とが接触することで、第２リフィル４０が軸部１０内に支持される。このとき、軸部１０の先端からは、第２リフィル４０の先端部が露出している。なお、第２孔１４の径は、第２リフィル４０及び第２接触部２６の外径よりやや大きくなるよう形成されている。
【００１８】
ここで、第１リフィル３０は、電子ペン機能を実現するために、後述するフェライトコア（図示せず）や電磁誘導コイル（図示せず）等の部品を含んで構成されるため、ボールペンリフィルである第２リフィル４０に比べて、外径が大きくなっている。そのため、第１リフィル３０が挿入される第１孔１２の径は、第２リフィル４０が挿入される第２孔１４の径よりも大きくなっている。
【００１９】
以上のように、第１の実施形態における軸部１０は、第１リフィル３０及び第２リフィル４０の各々を挿入可能な２つの孔が直交方向に並んで形成されている。これにより、第１孔１２に第１リフィル３０が挿入され、第２孔１４に第２リフィル４０が挿入された状態では、第１リフィル３０及び第２リフィル４０の先端が、同一方向（先端側）を向きつつ各々に対応する孔から露出している。そのため、第１の実施形態における位置指示器５を用いることで、第１リフィル３０によるスマートフォン等の入力装置への入力、及び、第２リフィル４０による紙面への筆記が可能となっている。
【００２０】
次に、電子ペン機能が搭載された電子ペンリフィルである第１リフィル３０の詳細について説明する。
第１リフィル３０の内部構造については図示しないが、この第１リフィル３０は、電磁誘導方式による入力に用いられるものであって、例えば、以下の構成を備えている。
【００２１】
第１リフィル３０は、図１（Ｂ）に示すように、樹脂製の収容筒３２を備えている。この収容筒３２の先端側には、棒状のフェライトコア（図示せず）が内蔵され、フェライトコアの先端に、例えばポリアセタール、ポリテトラフルオロエチレンのような自己潤滑性のある合成樹脂製の接触先端３４が装着されている。また、フェライトコアの周囲には電磁誘導コイル（図示せず）が外挿されている。さらに、収容筒３２の内部空間におけるフェライトコアよりも後端側には、電磁誘導コイルと電気的に接続された静電容量可変のコンデンサ（図示せず）と、静電容量固定のコンデンサ（図示せず）と、共振周波数を微調整するための各種受動素子（図示せず）と、が収容されている。
【００２２】
（作用効果）
上記のように、軸部１０は、第１リフィル３０及び第２リフィル４０の各々を挿入可能な２つの孔が直交方向に並んで形成されている。そのため、軸部１０を回転させて、入力装置又は紙面と接触させるリフィルを入れ替えることで、第１リフィル３０と第２リフィル４０とを使い分けることができる。具体的には、第１リフィル３０が入力装置に近い側に位置するよう軸部１０を把持することで、第１リフィル３０により入力装置に描線等の電子情報が入力可能となり、第２リフィル４０が紙面に近い側に位置するよう軸部１０を把持することで、第２リフィル４０により紙面に筆記可能となる。
【００２３】
ここで、１つの軸内に電子ペンリフィルを含む複数のリフィルを収容する場合において、断面が真円形状となる軸を備える比較構成においては、軸の軸径が均一となっている。
【００２４】
これに対し、第１の実施形態における軸部１０は、その断面が長円形状に形成されているため、軸部１０の軸径には、径が長い部分と、径が短い部分とが生じる。そのため、第１の実施形態における軸部１０の径が長い部分と、比較構成における軸の軸径とを同じ長さで構成した場合、軸部１０には比較構成の軸径よりも径が短い部分が生じ、細軸となる。したがって、第１の実施形態によれば、比較構成に比べて、細軸の位置指示器５を提供することができる。
【００２５】
（第２の実施形態）
次に、第２の実施形態について、第１の実施形態との重複部分を省略又は簡略化しつつ説明する。
【００２６】
第２の実施形態における位置指示器５は、第１の実施形態と異なり、キャップ部材１６を備えておらず、第１リフィル３０及び第２リフィル４０を各々軸方向に移動させる移動機構５０により、第１リフィル３０及び第２リフィル４０の先端部を軸部１０から出没可能としている。具体的には、第１リフィル３０は第１孔１２から、第２リフィル４０は第２孔１４から出没可能としている。ここで、第２の実施形態においては、軸部１０から第１リフィル３０又は第２リフィル４０の少なくとも一方の先端部が突出している状態を「突出状態」と称し、第１リフィル３０及び第２リフィル４０の先端部が軸部１０内に収容されている状態を「没入状態」と称する。
【００２７】
図２は、第２の実施形態における位置指示器５の正面図である。図２に示すように、位置指示器５は、外部構造として、軸部１０と、軸部１０の後端付近に配置された２つの移動機構５０と、尾栓２０と、尾栓２０に装着された電子ペン機能を有する入力部７０と、を備えている。なお、移動機構５０及び入力部７０の詳細については後述する。
【００２８】
また、軸部１０の一部は軸方向に沿って開口されており、２つの移動機構５０に各々対応したスリット８０が形成されている。このスリット８０は、軸部１０に形成された、直交方向で対向する一対の開口部分である（図３（Ｂ）及び図４（Ｂ）参照）。以下、一対のスリット８０のうち、図３（Ｂ）及び図４（Ｂ）において、上側のスリット８０を「第１スリット８２」と称し、下側のスリット８０を「第２スリット８４」と称する。そして、このスリット８０の長さを最大範囲として、移動機構５０の後述する移動部材６０が軸方向に移動可能となっている。
【００２９】
図３（Ａ）は、第２の実施形態に係る位置指示器５の突出状態を示す側面図であり、図３（Ｂ）は、図２のＩ−Ｉ断面図である。なお、図３（Ａ）及び（Ｂ）における突出状態は、第２リフィル４０の先端部のみが軸部１０から突出している状態である。また、図４（Ａ）は、第２の実施形態に係る位置指示器５の没入状態を示す側面図であり、図４（Ｂ）は、第２の実施形態に係る位置指示器５の没入状態を示す側面断面図である。
【００３０】
図３（Ｂ）に示すように、軸部１０には、第２リフィル４０が収容されている。なお、図３（Ｂ）では図示されていないが、第２リフィル４０の反対側（奥側）には、軸部１０に収容された第１リフィル３０が存在する。
ここで、第２の実施形態における第２リフィル４０は、第１の実施形態と同様にボールペンリフィルであり、第２リフィル４０に充填されたインク（図示せず）の特徴点は以下の通りである。
【００３１】
このインク（図示せず）は、常温（例えば２５℃）で所定の色彩（第１色）を維持し、所定温度（例えば６５℃）まで昇温させると無色を含む別の色彩（第２色）へと変化し、その後、所定温度（例えば−１０℃）まで冷却させると、再び元の色彩（第１色）へと復帰する性質を有する熱変色性インクであり、具体的には平均粒子径が０．５μｍ以上〜５μｍ未満であり、非熱可塑性である着色樹脂粒子と、ガラス転移点が０℃未満である非着色粒子と、を少なくとも含有し、着色樹脂粒子をインク組成物全量に対して５〜３０重量％含有し、かつ、入力部７０の摩擦動作で消去可能な剪断減粘性を有する。また、電子供与性呈色性有機化合物、電子受容性化合物、及び前記両者の呈色反応の生起温度を決める反応媒体、の必須三成分を少なくとも含む熱変色性組成物をマイクロカプセル中に内包させた平均粒子径０．５μｍ以上〜５μｍ未満の熱変色性マイクロカプセル顔料をインク組成物全量に対して５〜３０重量％含有し、入力部７０の摩擦動作で変色又は消色可能なインクも第２の実施形態に用いるものとして好適である。ここで、「平均粒子径」は、粒度分析計〔マイクロトラックＨＲＡ９３２０−Ｘ１００（日機装社製）〕にて測定したＤ５０の値である。
【００３２】
また、軸部１０の後端部には、第１の実施形態と同様に尾栓２０が装着されている。第２の実施形態における尾栓２０は、入力部７０と接する部分が導電性を有するように、例えば、カーボンブラック等が含まれた導電性樹脂又はステンレス鋼等の金属で形成されている。そして、尾栓２０には、上記のように、電子ペン機能を有する入力部７０が保持されており、その一部が尾栓２０の後端から露出している。
【００３３】
入力部７０は、静電容量式による入力に用いられるものであって、例えば、以下のように構成されている。
入力部７０は、弾性を有する合成樹脂（ゴム、エラストマー）で形成されている。この合成樹脂としては、例えば、シリコン樹脂、ＳＢＳ樹脂（スチレン−ブタジエン−スチレン共重合体）、ＳＥＢＳ樹脂（スチレン−エチレン−ブチレン−スチレン共重合体）、フッ素系樹脂、クロロプレン樹脂、ニトリル樹脂、ポリエステル系樹脂、エチレンプロピレンジエンゴム（ＥＰＤＭ）等があげられ、摩擦時に屑が殆ど生じない低摩耗性の弾性材料で構成される。
【００３４】
さらに、入力部７０は、金属、導電性樹脂、又は導電性繊維等の導電性材料を上記の合成樹脂に混ぜ込んだ導電性ゴムとすることで、入力装置へ接触させた際の入力面の傷付きを抑制することができる。この導電性ゴムは、市販の導電性ゴム材料を成形することで製造することができる。この市販の導電性ゴム材料としては、信越化学工業（株）製のＥＣシリーズ・シリコーンゴム、ライオン（株）製のレオパウンドシリーズ、ＪＦＥテクノリサーチ（株）製のサステックシリーズ等が例示できる。
【００３５】
そして、入力部７０は、電子ペン機能に加え、入力部７０の摩擦動作で、第２リフィル４０を用いて紙面に筆記されたインク（図示せず）を変色又は消色する機能を有している。
【００３６】
次に、移動機構５０の詳細について説明する。
軸部１０には、対応する第１孔１２又は第２孔１４から第１リフィル３０又は第２リフィル４０の先端部を出没可能とする移動機構５０が設けられている。
図３（Ｂ）に示すように、移動機構５０は、軸方向に移動可能な移動部材６０と、移動部材６０を移動させるスプリング９０と、を備えている。
【００３７】
移動部材６０は、図５（Ａ）に示すように、板状の平板部６１と、平板部６１の上方側に設けられたクリップ部６２と、平板部６１の下方側に設けられた解除部６３と、平板部６１の先端側に設けられた挿入部６４と、平板部６１の先端面である後端受け部６５と、平板部６１の後端から外方に突出している係止部６６と、を備えている。
【００３８】
平板部６１は、移動部材６０の胴部分を構成する部材であり、図３（Ｂ）及び図４（Ｂ）に示すように、その全体が軸部１０に収容されている。
クリップ部６２は第１スリット８２から露出した部分であり、軸方向に延びる胴部６２Ａと、胴部６２Ａの先端側から軸部１０側に突出している挟持部６２Ｂと、胴部６２Ａの後端側を構成し、ユーザにより押圧操作がなされる操作部６２Ｃと、を備えている。
【００３９】
挟持部６２Ｂは、衣服のポケット、入力装置、又は入力装置を覆うカバー部材等を軸部１０の外周面との間で挟持することにより、位置指示器５を保持する部分である。
操作部６２Ｃは、ユーザにより先端側に押圧操作されることで、第１リフィル３０又は第２リフィル４０の先端部を軸部１０から突出させる部分である。なお、移動部材６０は全構成部材が一体となっており、操作部６２Ｃの先端側への押圧操作に伴って、他の部材も連動して先端側に移動する。
【００４０】
ここで、軸部１０においてクリップ部６２が露出している面は、断面長円形状のうちの平面部分である。そのため、例えば、入力装置を覆うカバー部材を軸部１０の外周面と挟持部６２Ｂとの間で挟持することで、位置指示器５と入力装置とをコンパクトに携帯することができる。
【００４１】
解除部６３は、位置指示器５が没入状態から突出状態へ変化したことを契機に、第２スリット８４から突出する部分である。この解除部６３は、ユーザにより内方に押圧されることで、第１リフィル３０又は第２リフィル４０の先端部を軸部１０に没入させる機能を有する。この詳細については後述する。
【００４２】
挿入部６４は、第１リフィル３０又は第２リフィル４０の後端を覆う蓋部６４Ａと、蓋部６４Ａから先端側に延び、第１リフィル３０又は第２リフィル４０内に挿入される挿入突起６４Ｂと、を備えている。この挿入部６４は、ユーザによる操作部６２Ｃの先端側への押圧操作に連動して、第１リフィル３０又は第２リフィル４０を先端側に押し出しながら軸部１０内を移動する。なお、蓋部６４Ａの高さは、平板部６１の高さより低い。
図５に示す係止部６６は、軸部１０の後述するレール部８８（図６参照）と係止することで、突出状態の維持を図る部分である。この詳細については後述する。
【００４３】
図３（Ｂ）及び図４（Ｂ）に示すスプリング９０は、コイルスプリングであって、その先端が軸部１０内に形成された段差である先端受け部８６に接触し、その後端が後端受け部６５に接触するよう装着される。このスプリング９０は、ユーザにより操作部６２Ｃが先端側へ押圧操作されると、先端受け部８６と後端受け部６５との間で圧縮し、移動部材６０を先端側へ移動させる。また、スプリング９０は、ユーザにより解除部６３が内方へ押圧操作されたことに基づいて、先端受け部８６と後端受け部６５との間での圧縮が開放され、移動部材６０を後端側へ移動させる。
【００４４】
図６（Ａ）に示すように、第２の実施形態における軸部１０は、その内部に断面逆Ｌ字状の一対のレール部８８が形成されている。
【００４５】
図６（Ａ）は、図４（Ａ）に示すII−II断面図であり、図６（Ｂ）は、図３（Ａ）に示すIII−III断面図である。図６（Ａ）に示すように、没入状態においては、レール部８８と軸部１０の内周面との間に係止部６６が位置している。一方、図６（Ｂ）に示すように、突出状態においては、係止部６６がレール部８８を乗り越えてレール部８８の先端側に位置している。すなわち、図６（Ｂ）に示す突出状態においては、係止部６６がレール部８８の手前側に位置している。
【００４６】
以下、第２の実施形態における位置指示器５が没入状態から突出状態へ移動し、再び没入状態に戻るまでの流れを説明する。
（１）没入状態から突出状態への変化
図４（Ａ）及び（Ｂ）に示す没入状態において、ユーザにより操作部６２Ｃが先端側に押圧操作されると、第２リフィル４０の後端に挿入された挿入部６４が、操作部６２Ｃへの押圧操作に連動して、第２リフィル４０を先端側に押し出しながら軸部１０内を移動する。これにより、位置指示器５では、軸部１０の先端から第２リフィル４０の先端部が突出し、図４（Ａ）及び（Ｂ）に示す没入状態から図３（Ａ）及び（Ｂ）に示す突出状態へと変化する。
【００４７】
ここで、没入状態から突出状態へ変化した場合には、図６（Ｂ）に示すように、係止部６６がレール部８８を乗り越えてレール部８８の先端側に位置している。具体的には、突出状態に至るまで操作部６２Ｃが先端側に移動されると、この移動に連動してレール部８８と軸部１０の内周面との間を移動していた係止部６６が軸心側へ陥落して、係止部６６がレール部８８の先端側に位置する。そして、この状態では、先端受け部８６と後端受け部６５との間で圧縮されているスプリング９０が先端側から平板部６１を押圧することで係止部６６がレール部８８に押し当てられ、突出状態が維持される。
【００４８】
なお、係止部６６がレール部８８と軸部１０の内周面との間から陥落するのと同時に、第２スリット８４から解除部６３が突出する（図３（Ｂ）参照）。
【００４９】
（２）突出状態から没入状態への変化
図３（Ａ）及び（Ｂ）に示す突出状態において、ユーザにより解除部６３が内方に押圧されると、係止部６６のレール部８８への押し当てが解除され、係止部６６がレール部８８と軸部１０の内周面との間に復帰し、先端受け部８６と後端受け部６５との間で圧縮されていたスプリング９０が開放される。この結果、移動部材６０は、スプリング９０の弾性作用により後端側へ移動して、図３（Ａ）及び（Ｂ）に示す突出状態から図４（Ａ）及び（Ｂ）に示す没入状態へ戻る。
【００５０】
（作用効果）
上記のように、軸部１０には、対応する第１孔１２又は第２孔１４から第１リフィル３０又は第２リフィル４０の先端部を出没可能とする移動機構５０が設けられている。そのため、第１リフィル３０又は第２リフィル４０に対応する移動部材６０を先端側に移動させることで、第１リフィル３０と第２リフィル４０とを使い分けることができる。具体的には、第１リフィル３０に対応する移動部材６０を先端側に移動させることで、第１リフィル３０の先端部が軸部１０の先端から露出し、第１リフィル３０による入力装置への電子情報の入力が可能となる。また、第２リフィル４０に対応する移動部材６０を先端側に移動させることで、第２リフィル４０の先端部が軸部１０の先端から露出し、第２リフィル４０による紙面への筆記が可能となる。
【００５１】
また、軸部１０の後端側、具体的には、軸部１０の後端部に装着された尾栓２０には、電子ペン機能を有する入力部７０が保持されている。そして、この入力部７０は、静電容量式による入力に用いられるものとされているため、電磁誘導方式による入力に用いられる第１リフィル３０と、前記した入力部７０とで、様々な入力形式の入力装置に対応することができる。
【００５２】
（その他）
上記の実施形態では、移動機構５０により、第１リフィル３０及び第２リフィル４０の双方を軸方向に移動可能に構成したが、これに限らず、第１リフィル３０又は第２リフィル４０の一方のみが軸方向に移動可能であってもよい。この場合には、移動不能な第１リフィル３０又は第２リフィル４０の他方を、その先端部が軸部１０から常に露出している構成とすることが望ましい。例えば、図７に示すように、第１リフィル３０に対応する移動機構５０を備えず、第１リフィル３０の先端部が軸部１０から常に露出するよう構成してもよい。
【００５３】
上記の実施形態では、軸部１０に第２リフィル４０を装着することで、位置指示器５にボールペンの機能を備えることとした。しかし、これに限らず、軸部１０にサインペンやマーキングペンのユニットを装着することで、位置指示器５にサインペンやマーキングペンの機能を備えさせてもよい。
【００５４】
また、第２リフィル４０をボールペンリフィルとすることに限らず、第２リフィル４０として電子ペン機能が搭載された電子ペンリフィルを装着し、第１リフィル３０と第２リフィル４０との双方に電子ペン機能を搭載してもよい。
【００５５】
上記の実施形態では、第１リフィル３０を、電磁誘導方式による入力に用いられるものとしたが、これに限らず、静電容量式や感圧式による入力に用いられるものとしてもよい。
【符号の説明】
【００５６】
５  位置指示器
１０  軸部                                      １２  第１孔
１４  第２孔                                    １６  キャップ部材
２０  尾栓                                      ２２  接触部
２４  第１接触部                                ２６  第２接触部
２８  露出部
３０  第１リフィル                              ３２  収容筒
３４  接触先端
４０  第２リフィル
５０  移動機構                                  ６０  移動部材
６１  平板部                                    ６２  クリップ部
６２Ａ  胴部                                  ６２Ｂ  挟持部
６２Ｃ  操作部                                  ６３  解除部
６４  挿入部                                  ６４Ａ  蓋部
６４Ｂ  挿入突起                                ６５  後端受け部
６６  係止部
７０  入力部
８０  スリット                                  ８２  第１スリット
８４  第２スリット                              ８６  先端受け部
８８  レール部                                  ９０  スプリング
【図１】
2020067797.tif 000003
【図２】
2020067797.tif 000004
【図３】
2020067797.tif 000005
【図４】
2020067797.tif 000006
【図５】
2020067797.tif 000007
【図６】
2020067797.tif 000008
【図７】
2020067797.tif 000009